(57)【特許請求の範囲】
【請求項１】
情報入力やマンマシン対話操作の選択を行う入力手段と、
プラントの監視画面、プラント機器の操作スイッチ、マンマシン対話用の画面等を表示する表示手段と、
前記入力手段及び表示手段をマンマシンインターフェイスとし、プラント機器を操作端として、この操作端の札掛けに関する複数項目のコメントデータを複数操作端分入力することが可能な対話画面を表示し、しかも、各項目のコメントデータの入力欄が複数操作端分にわたって同一方向に連続して配列されるように、この対話画面を一画面で表示するマンマシン対話手段と、
前記対話画面に表示され、前記入力手段により入力した札掛けに関するコメントデータをファイル形式で保存するコメント設定ファイルと、
入力対象操作端の札掛けの設定／解除状態と、別途に判定された操作端自体の札掛け設定／解除状態をデータとして保存する札掛け設定ファイルと、
前記札掛け設定ファイルと前記マンマシン対話手段とのデータの入出力処理を行う札掛け設定手段と、
前記コメント設定ファイルと前記マンマシン対話手段とのデータの入出力処理を行う札掛けコメント設定手段と、
前記札掛け設定ファイルから複数の操作端の札掛け状態を読込み、その操作端自体が札掛け状態であるか否かを判定し、その結果を前記札掛け設定ファイルに書込む札掛け判定手段と、
プラント状態量及びプラント機器の状態を前記表示手段に表示し、前記入力手段からプラント状態を移行させる指令を受け付けるとプラント機器の操作スイッチを表示し、前記入力手段から状態移行指令を受け付けると該当操作端が札掛け状態にあるか否かを前記札掛け設定ファイルを参照し、札掛け設定状態ならば札掛け設定状態であることを告知すると共に、該当操作端に対しては状態移行信号を出力せず、札掛け解除状態ならば該当操作端に対して状態移行信号を出力する表示操作処理手段と、
を備えた表示操作装置。
【請求項２】
情報入力やマンマシン対話操作の選択を行う入力手段、プラントの監視画面、プラント機器の操作スイッチ、マンマシン対話用の画面等を表示する表示手段及び前記入力手段及び表示手段をマンマシンインターフェイスとし、プラント機器を操作端として、この操作端の札掛けに関する作業票番号、設定者、設定日、設定理由等のコメントデータを一度に複数操作端分及び複数件数分入力するための対話画面を表示するマンマシン対話手段を含んでなる外部端末と、
前記外部端末の前記マンマシン対話手段と前記札掛けコメント設定手段とで双方向通信を行う通信手段と、
を備えた請求項１に記載の表示操作装置。
【請求項３】
複数のコメント設定ファイルを保存する磁気ディスク等の記録媒体を持つコメント設定ファイル記憶装置と、
前記コメントファイル設定装置にコメントファイルを設定したり、コメント設定ファイルを読込んだりしてコメント設定ファイルの再利用を可能にするコメント設定ファイル管理手段と、
を備えた請求項１又は２に記載の表示操作装置。
【請求項４】
前記複数のコメント設定ファイルの中からどのタイミングでどのファイルをアクティブファイルに読み出すかの条件が設定されているタイミング判定条件ファイルと、
前記タイミング判定条件ファイルを周期的にチェックし、コメント設定ファイルの置換タイミングに到達したことを判定するタイミング判定手段と、
前記判定手段によつて前記コメント設定ファイルのアクティブファイルを自動的に置き換えるタイミングに到達した判定されたとき、この置き換えるタイミングに到達したことをオペレータに告知すると共に、オペレータからの置換実行許可通知を受け取り前記コメント設定ファイル管理手段に対してファイルの書き換え要求をする自動置換告知手段と、
を備えた請求項３に記載の表示操作装置。
【請求項５】
定例操作項目としてどのタイミングにどの定例ファイルをアクティブフアイルとするかが登録されている定例条件ファイルと、
前記定例条件ファイルを定期的にチェックし、前記コメント設定ファイルの置換タイミングに到達したことを判定する定例タイミング判定手段と、
前記定例タイミング判定手段によって前記コメント設定ファイルの置換タイミングに到達したと判定されたとき、前記コメント設定ファイルのアクティブファイルを定例ルールに基づき自動的に置き換えるタイミングに到達したことをオペレータに告知すると共に、オペレータからの置換実行許可通知を受け取りコメント設定ファイル管理手段に対してファイルの書き換え要求をする自動置換告知手段と、
を備えた請求項３に記載の表示操作装置。
【請求項６】
前記コメント設定ファイルに保存されたデータをどのようなフォーマットで印刷するかを規定している印刷データフォーマットと、
前記印刷データフォーマットをもとに前記コメント設定ファイルに保存されているデータを編集する札掛け印刷編集手段と、
前記コメント設定ファイルのデータを前記札掛け印刷編集手段にて規定したフォーマットでプリンタを用いた印刷する札掛け印刷手段と、
を備えた請求項１乃至５のいずれかに記載の表示操作装置。
【発明の詳細な説明】
【０００１】
【発明の属する技術分野】
本発明は、ＣＲＴ等の表示装置によりプラントの状態を監視しながら、タッチパネル、キーボード等の入力装置を用いて、プラントの主機及び補機をオペレータの所望する状態となるように操作する表示操作装置に関する。
【０００２】
【従来の技術】
図２２は、従来の表示操作装置の概略構成を示すブロック図であり、キーボード等の入力手段１とＣＲＴ等の表示手段２とをマンマシンインターフェイスとしたマンマシン対話手段３と、対象操作端の札掛け状態を保存する札掛け設定ファイル５及び札掛けの設定者や設定理由等のコメント情報を保存するコメント設定ファイル６と、これら二つのファイルとマンマシン対話手段とのデータ入出力を処理する札掛け設定手段４と、札掛け設定ファイル５のデータから札掛け状態か否かを判定する札掛け判定手段７とプラント機器の状態入力及び操作出力を行う表示操作処理手段８とを備えている。
【０００３】
次に、この表示操作装置による札掛けの一連の操作及び作用を説明する。
札掛け設定対象の操作端を選択し、札掛け設定操作を開始すると、マンマシン対話手段３は、図２３に示したように、表示手段２に札掛け設定画面２１を表示する。この札掛け設定画面２１は、一つの操作端に対して５件までの札掛けを行うことができる。この画面中の２１ａは札掛け対象操作端の操作端番号エリアを示している。No.１〜５のどの番号に札を掛けるかを札番号選択プッシュボタン（以下、プッシュボタンをＰＢと略記する）２１ｂによって行い、選択実行ＰＢ２１ｆを選択すると、図２４に示すように、札掛け設定画面２２が表示される。札掛け設定画面２１を消去するには画面消去ＰＢ２１ｇを選択する。
【０００４】
図２４に示す札掛けコメント設定画面２２では作業票番号入力欄２２ｌ、設定者入力欄２２ｄ、設定日入力欄２２ｅ、設定理由入力欄２２ｈがコメント入力欄として準備されている。ここにカーソルを持っていき、入力手段１にて必要内容をキー入力する。入力が完了したら札掛け設定ＰＢ２２ｊを選択することにより札掛け設定手段４は札掛け設定ファイル５の該当箇所を設定中に変更すると共に、コメント入力データをコメント設定ファイル６の該当箇所に保存する。
【０００５】
札掛けを解除する場合は、札掛け解除ＰＢ２２ｋを選択することにより札掛け設定手段４は札掛け設定ファイル５の該当箇所を解除中に変更する。コメント設定ファイル６はクリアしない。
【０００６】
札掛け設定画面２１に戻る場合は、札掛け設定画面への復帰ＰＢ２２ｉを選択する。なお、札掛け設定画面２１の表示領域２１ｌ，２１ｄ，２１ｅにはそれぞれ札掛けコメント設定画面２２の表示領域２２ｌ，２２ｄ，２２ｅにおいてキー入力したものが表示される。また、札が掛かっているときは札掛け設定画面２１の表示領域２１ｃが「設定中」と表示され、札が掛かっていないときは「解除中」と表示される。これは後述する札掛け設定ファイル５内の操作端札掛け指標５ｊを参照して表示している。
【０００７】
札掛け設定ファイル５は札掛け設定画面２１に対応するファイルである。これは、図２５に示すように一つの操作端（操作端番号２１ａ）に対し、記憶領域５１が札番号No.１、記憶領域５２が札番号No.２、記憶領域５３が札番号No.３、記憶領域５４が札番号No.４、記憶領域５５が札番号No.５の札掛け状態をデータとして持つ。札掛け設定手段４は札掛け設定ファイル５に記憶領域５１〜５５のデータを書込むと札掛け判定手段７に書込み完了の通知、すなわち、札掛け設定状態を「１」として，札掛け解除状態を「０」として通知を行う。操作端に対する札掛けは５件のうち１件でも掛かっていれば設定状態となるので、札掛け判定手段７は記憶領域５１〜５５の論理和を演算し、その結果を札掛け設定ファイル５の記憶領域５ｊに設定する。判定式は次式、
５１  Ｕ  ５２  Ｕ  ５３  Ｕ  ５４  Ｕ  ５５＝５ｊ    …（１）
のとおりである。
【０００８】
コメント設定ファイル６は札掛けコメント設定画面２２に対応するファイルで、図２６に示すように、一つの操作端（操作端番号２１ａ）に対し、No.１〜No.５の作業票番号２２ｌ１〜２２ｌ５、設定者２２ｄ１〜２２ｄ５、設定日２２ｅ１〜２２ｅ５、設定理由２２ｈ１〜２２ｈ５をデータとして持つ。
【０００９】
表示操作処理手段８はプラント各所の圧力、温度、気圧といった状態量及びポンプの起動／停止や弁の開／閉といったプラント機器の状態を表示手段２に表示した系統図等で状態監視しながら、所望のプラント状態に移行させたいときにはプラント機器（操作端）の操作スイッチを表示し、オペレータからの状態移行指令を入力手段１から受付けると該当操作端が札掛け状態にあるか否かを札掛け設定ファイル５の操作端番号２１ａと操作端札掛け指標５ｊのみを参照して該当操作端が札掛け状態か否かを判断し、札掛け設定状態ならばオペレータに対して札掛け設定状態であることを告知すると共に、該当操作端に対しては状態移行信号を出力せず、札掛け解除状態ならば該当操作端に対して状態移行信号を出力する。
【００１０】
【発明が解決しようとする課題】
上述した従来の表示操作装置では、一つの操作端に対し複数件の札を掛けることはできるが、札掛けコメント設定画面２２が１操作端１件ずつの設定であるため、多数の操作端に札を掛ける場合、画面展開のための操作回数が多く、操作が煩わしく多くの時間と労力を要していた。
【００１１】
また、従来の表示操作装置では、入力手段１及び表示手段２は表示操作処理手段８と共用するため、札掛け操作を行っている間、プラントの監視ができなかった。また、コメント入力自体はプラントを監視する必要はなく操作はどこで行っても良いにも拘らず表示操作処理装置のある場所で操作しなければならず、作業場所が限られていた。
【００１２】
さらに、従来の表示操作装置では、札掛けコメントの内容は１回きりであり、変更する場合はその都度入力し直さなければならない。例え、過去の設定と同一にしたい場合でも全て入力し直さなければならなかった。
【００１３】
さらにまた、従来の表示操作装置では、札掛け操作を必要なときに対話で行う必要があり、時間が迫っているときなどは急いで入力しなければならず、時間の制約や入力ミス、作業忘れの恐れもあった。
【００１４】
また、従来の表示操作装置では、札掛け操作が定例的に行われる場合、そのルールによって札掛け対象の操作端が決まっているにも拘らず、その都度コメントを設定し直さなければならなかった。
【００１５】
さらに、従来の表示操作装置では、札掛けを行う場合、コメントを表示操作処理手段８側においてキー入力すると共に、現場の操作端にも同じコメントを記入した札を掛けなければならず、コメント記入の手間がかかっていた。
【００１６】
本発明は上記の課題を解決するためになされたもので、その目的は、多数の操作端に札を掛ける場合、複数ある登録データを一度に設定可能とすることで画面展開のための操作回数を減らし、操作時間と労力を削減できる表示操作装置を提供するにある。
【００１７】
本発明の他の目的は、入力手段及び表示手段として外部端末を使用し、表示操作装置の表示手段とは独立に対話可能とすることで、表示操作装置側の監視効果を維持でき、また、外部端末と表示操作装置を通信手段で接続することにより、表示操作装置とは別の場所での操作も可能となり、作業場所も問うことのない表示操作装置を提供するにある。
【００１８】
本発明のさらに他の目的は、コメント設定ファイルの保存を可能とし、必要に応じて所望のファイルをアクティブファイルと入れ換えることにより、過去に設定したデータの再利用を可能とし、データ入力の省力化を実現し得る表示操作装置を提供するにある。
【００１９】
本発明の他の目的は、コメント設定ファイルのアクティブファイルとの入れ換えを予め定められたタイミングで自動的に行うようにし、時間の拘束の解放と作業忘れの防止を実現し得る表示操作装置を提供するにある。
【００２０】
本発明のもう一つ他の目的は、定例のイベントとこれに関連するルールとのひも付けにより、コメントの設定を予め定められたタイミングで自動的に行うようにし、時間の拘束の解放と作業忘れの防止を実現することのできる表示操作装置を提供するにある。
【００２１】
本発明のさらに他の目的は、表示操作札掛け装置側においてキー入力したコメント内容を定められたフォーマットでシール等に印刷し、これを無地札に貼り付けることにより現場用札を作成できるため、コメント記入の省力化を達成し、かつ、表示操作札掛け装置側とのコメント内容の不一致の防止を図り得る表示操作装置を提供するにある。
【００２２】
【課題を解決するための手段】
請求項１に係る発明は、
情報入力やマンマシン対話操作の選択を行う入力手段と、
プラントの監視画面、プラント機器の操作スイッチ、マンマシン対話用の画面等を表示する表示手段と、
前記入力手段及び表示手段をマンマシンインターフェイスとし、プラント機器を操作端として、この操作端の札掛けに関する複数項目のコメントデータを複数操作端分入力することが可能な対話画面を表示し、しかも、各項目のコメントデータの入力欄が複数操作端分にわたって同一方向に連続して配列されるように、この対話画面を一画面で表示するマンマシン対話手段と、
対話画面に表示され、入力手段により入力した札掛けに関するコメントデータをファイル形式で保存するコメント設定ファイルと、
入力対象操作端の札掛けの設定／解除状態と、別途に判定された操作端自体の札掛け設定／解除状態をデータとして保存する札掛け設定ファイルと、
札掛け設定ファイルとマンマシン対話手段とのデータの入出力処理を行う札掛け設定手段と、
コメント設定ファイルとマンマシン対話手段とのデータの入出力処理を行う札掛けコメント設定手段と、
札掛け設定ファイルから複数の操作端の札掛け状態を読込み、その操作端自体が札掛け状態であるか否かを判定し、その結果を札掛け設定ファイルに書込む札掛け判定手段と、
プラント状態量及びプラント機器の状態を表示手段に表示し、入力手段からプラント状態を移行させる指令を受け付けるとプラント機器の操作スイッチを表示し、入力手段から状態移行指令を受け付けると該当操作端が札掛け状態にあるか否かを札掛け設定ファイルを参照し、札掛け設定状態ならば札掛け設定状態であることを告知すると共に、該当操作端に対しては状態移行信号を出力せず、札掛け解除状態ならば該当操作端に対して状態移行信号を出力する表示操作処理手段と、
を備えた表示操作装置である。
【００２３】
請求項１に係る表示操作装置は以下の手順で操作端に札掛けを行う。マンマシン対話手段は表示手段に札掛け情報設定画面を表示し、札掛けのコメント入力を入力手段から受け付ける。札掛け情報設定画面は一度に複数操作端に対して複数件のコメント入力が可能である。全てのコメント入力が完了したら入力データをコメント設定ファイルへ保存する。この時点ではまだ操作端への札掛けは行われない。
【００２４】
操作端への札掛けを行うには、札掛け設定画面を表示し、１操作端１件ずつの札掛け操作を行う。これは、プラントの状態量やプラント機器の状態を確認しながらでなければプラントの暴走や、プラント機器の破損の恐れがあるためであり、一度に複数の札掛けを行ったり、自動的に札掛けを行ったりするのは認められていない。各操作端１件ずつの札掛けの状態は札掛け設定ファイルへ保存する。
【００２５】
操作端へは複数件数の札掛けが可能であるが、操作端にとっては１件でも札掛けが実施されれば札掛け状態である。これを判定するのが札掛け判定手段で、複数件の札掛けの論理和を計算し、操作端が札掛け状態か否かを判断し、結果を札掛けファイルへ保存する。表示操作処理手段は札掛け設定ファイルの操作端番号と操作端札掛け状態を参照して操作端が札掛け状態か否かを判断する。
【００２６】
請求項２に係る発明は、請求項１に記載の表示操作装置において、
情報入力やマンマシン対話操作の選択を行う入力手段、プラントの監視画面、プラント機器の操作スイッチ、マンマシン対話用の画面等を表示する表示手段及び入力手段及び表示手段をマンマシンインターフェイスとし、プラント機器を操作端として、この操作端の札掛けに関する作業票番号、設定者、設定日、設定理由等のコメントデータを一度に複数操作端分及び複数件数分入力するための対話画面を表示するマンマシン対話手段を含んでなる外部端末と、
外部端末のマンマシン対話手段と札掛けコメント設定手段とで双方向通信を行う通信手段と、
を備えたものである。
【００２７】
請求項２に係る表示操作装置においては、札掛けのコメント入力のための入力手段、札掛け情報設定画面を表示する表示手段及びマンマシン対話手段が外部端末として表示操作装置本体とは独立している。外部端末と表示操作装置本体との間は通信手段によって接続されており、請求項１に係る発明と同様の対話操作でコメント入力を行う。ただし、札掛け設定については前記理由により、本体側での操作となる。
【００２８】
請求項３に係る発明は、請求項１又は２に記載の表示操作装置において、
複数のコメント設定ファイルを保存する磁気ディスク等の記録媒体を持つコメント設定ファイル記憶装置と、
コメントファイル設定装置にコメントファイルを設定したり、コメント設定ファイルを読込んだりしてコメント設定ファイルの再利用を可能にするコメント設定ファイル管理手段と、
を備えたものである。
【００２９】
請求項３に係る表示操作装置においては、コメント設定ファイル保存手段があり、オペレータがコメント設定ファイルを保存するときは、表示手段にファイル保存のための対話画面等を表示し、入力手段によりファイル名を入力して磁気ディスク等に記録する。札掛けの設定コメントとして画面に表示されるのはある一つのコメント設定ファイルだけであり、これをアクティブファイルと呼ぶ。磁気ディスクには複数のコメント設定ファイルを管理する設定ファイル管理手段があり、オペレータからの要求により保存ファイルをアクティブファイルへローディングしたり、コピー、削除、ファイル名称変更といったファイル編集機能等を持つ。
【００３０】
請求項４に係る発明は、請求項３に記載の表示操作装置において、
複数のコメント設定ファイルの中からどのタイミングでどのファイルをアクティブファイルに読み出すかの条件が設定されているタイミング判定条件ファイルと、
タイミング判定条件ファイルを周期的にチェックし、コメント設定ファイルの置換タイミングに到達したことを判定するタイミング判定手段と、
判定手段によつてコメント設定ファイルのアクティブファイルを自動的に置き換えるタイミングに到達した判定されたとき、この置き換えるタイミングに到達したことをオペレータに告知すると共に、オペレータからの置換実行許可通知を受け取りコメント設定ファイル管理手段に対してファイルの書き換え要求をする自動置換告知手段と、
を備えたものである。
【００３１】
請求項４に係る表示操作装置においては、タイミング判定手段はどのコメント設定ファイルをどのタイミングでアクティブファイルとしてローディングするかという処理を担っている。イミング判定手段にはアクティブファイルとしてローディングするタイミング、どのファイルをアクティブファイルにするかというファイル名を予め設定する。タイミング判定手段は周期的にファイルローディングのタイミングであるかどうかをチェックし、そのタイミングになると、設定ファイル管理手段へ指定したコメント設定ファイルをアクティブファイルとしてローディングするよう指令する。
【００３２】
アクティブファイルへのローディングは自動的に行われるため、ローディングの指令を自動置換告知手段へも行い、自動置換告知手段は指令を受けるとローディングが自動的に行われたことをオペレータに告知する。
【００３３】
請求項５に係る発明は、請求項３に記載の表示操作装置において、
定例操作項目としてどのタイミングにどの定例ファイルをアクティブフアイルとするかが登録されている定例条件ファイルと、
定例条件ファイルを定期的にチェックし、コメント設定ファイルの置換タイミングに到達したことを判定する定例タイミング判定手段と、
定例タイミング判定手段によってコメント設定ファイルの置換タイミングに到達したと判定されたとき、コメント設定ファイルのアクティブファイルを定例ルールに基づき自動的に置き換えるタイミングに到達したことをオペレータに告知すると共に、オペレータからの置換実行許可通知を受け取りコメント設定ファイル管理手段に対してファイルの書き換え要求をする自動置換告知手段と、
を備えたものである。
【００３４】
請求項５に係る表示操作装置においては、定例操作項目判定手段は定例操作における操作項目ルールを規定しており、どのコメント設定ファイルをどのタイミングでアクティブファイルとしてローディングするかという処理を担っている。請求項４の発明に係るタイミング判定手段と請求項５の発明に係る定例操作項目判定手段との違いは、前者はイベントタイミングであるのに対して、後者は定例ルールであることである。
【００３５】
請求項６に係る発明は、請求項１乃至５のいずれかに記載の表示操作装置において、
コメント設定ファイルに保存されたデータをどのようなフォーマットで印刷するかを規定している印刷データフォーマットと、
印刷データフォーマットをもとにコメント設定ファイルに保存されているデータを編集する札掛け印刷編集手段と、
コメント設定ファイルのデータを札掛け印刷編集手段にて規定したフォーマットでシール等にプリンタを用いて印刷する札掛け印刷手段と、
を備えたものである。
【００３６】
請求項６に係る表示操作装置においては、操作端の札掛け情報の印刷を行う場合には以下の手順で行う。マンマシン対話手段は表示手段に札掛け情報設定画面を表示し、札掛け情報設定の印刷要求を入力手段から受け付けて、札掛け設定手段に通知する。札掛け設定手段は、札掛け情報設定の印刷要求が告知されると操作端内の札掛け番号で札掛け印刷手段に印刷データの編集要求を行う。札掛け印刷編集手段は、操作端番号と操作端内の札掛け番号で、コメント設定ファイルから札掛け情報を取り出して印刷可能な札掛け情報印刷データに変換して、札掛け印刷手段に通知する。札掛け印刷手段は、札掛け印刷編集手段より通知された札掛け印刷データを基にプリンターに札掛け情報の印刷を行う。
【００３７】
【発明の実施の形態】
以下、本発明を図面に示す好適な実施形態に基づいて詳細に説明する。
図１は本発明に係る表示操作装置の第１の実施形態の構成を示すブロック図である。図中、従来装置を示す図２２と同一の符号を付したものはそれぞれ同一の要素を示している。同図において、キーボード等の入力手段１はマンマシン対話手段３と表示操作処理手段８とに接続され、表示手段２もまたマンマシン対話手段３と表示操作処理手段８とに接続されている。マンマシン対話手段３には札掛け設定手段４が接続され、この札掛け設定手段４に札掛け設定ファイル５及び札掛け判定手段７が接続され、このうち、札掛け設定ファイル５は札掛け判定手段７及び表示操作処理手段８にも接続されている。ここで、札掛け設定手段４は札掛け設定ファイル５へのデータ入出力を処理するもので、札掛け設定ファイル５は対象操作端の札掛け状態を保存するもので、札掛け判定手段７は札掛け設定手段４を介して得られるデータから札掛け状態か否かを判定するものである。
【００３８】
また、マンマシン対話手段３には札掛けコメント設定手段９が接続され、この札掛けコメント設定手段９には札掛け設定手段４及びコメント設定ファイル６も接続されている。札掛けコメント設定手段９はコメント設定ファイル６へのデータ入出力を処理するもので、コメント設定ファイル６は札掛けの設定者や設定理由等のコメント情報を保存するものである。なお、表示操作処理手段８はプラントの機器の状態入力及び操作出力を行うもので、この表示操作処理手段８によってプラント機器Ｐが駆動される構成になっている。
【００３９】
上記のように構成された第１の実施形態の動作について、主に、従来装置と構成を異にする部分について以下に説明する。
操作端に対して札掛けを行う場合には、入力手段１にて札掛けコメント設定対話機能を表示要求することによりマンマシン対話手段３は表示手段２に、図２に示すように、札掛けコメント設定画面２２′を表示する。この札掛けコメント設定画面２２′は、札掛けに関する作業票番号、設定者、設定日、設定理由等のコメントデータを一度に複数操作端分入力し、設定することが可能である。札掛けコメント設定画面２２′の各データ入力欄に、操作端番号２２ａ、札掛け作業票番号２２ｌ、札掛け設定者２２ｄ、札掛け設定日２２ｅ、札掛け設定理由２２ｈ等のコメントデータを入力手段１を用いて入力し、続いて札掛けコメント設定ＰＢ２２ｊを選択する。
【００４０】
図３は札掛けコメント設定ＰＢ２２ｊが操作されたことに対応する札掛けコメント設定手段９の具体的処理手順を示すフローチャートである。ここで、ステップ９１ではマンマシン対話手段３から作業票番号、設定者、設定日、設定理由等のコメントデータを受け取る。そして、ステップ９２にて、札掛け設定手段４に対して読み込み指令を与え、札掛け設定ファイル５のデータを読み込む。ステップ９３ではステップ９１にて受け取ったコメント入力データ中の操作端番号の札番号がステップ９２にて読み込んだ札掛け設定ファイル５の中で既に設定中であるか否かをチェックする。このチェックによりコメント設定中であれば、ステップ９５でエラーメッセージをマンマシン対話手段３に出力し、コメント解除中であれば、ステップ９４にてコメント設定ファイル６に対してステップ９１の処理で受け取ったコメントデータ内容を書込む。次に、ステップ９６ではステップ９１の処理にて受け取ったデータを全て処理しているか否かをチェックし、全て処理しておれば処理を終了し、処理が残っておればステップ９３の処理に戻り、再度、同様な処理を繰り返す。なお、この時点ではコメントが設定されるのみで、札掛けは実行されてはいない。
【００４１】
札掛け設定画面２２′にて設定したデータを操作端で札掛け実行する場合には以下の手順にて行う。すなわち、入力手段１にて札掛け設定対象の操作端を選択し、札掛け設定操作を開始すると、マンマシン対話手段３は札掛け設定手段４及び札掛けコメント設定手段９に札掛け設定対象の操作端の操作端番号を受け渡す。そこで、札掛け設定手段４及び札掛けコメント設定手段９は札掛け設定ファイル５及びコメント設定ファイル６から操作端番号に属するデータを入力し、マンマシン対話手段３を介して表示手段２に札掛け設定画面２１（図２３参照）を表示する。この札掛け設定画面２１は、札掛け設定画面２２′にて設定した札掛け情報の札掛け状態表示欄２１ｃは全て解除中と表示され、未だ札が掛かっていない状態で表示される。札掛けの実行は札掛けコメント設定画面２２に画面展開して実行する。
【００４２】
この第１の実施形態と従来装置とを比較してみる。従来の表示操作装置のマンマシン対話手段の札掛け情報設定画面には１操作端の１件分のコメント入力欄しか持たなかったが、第１の実施形態のマンマシン対話手段の札掛け情報設定画面には全操作端の５件分のコメント入力欄を持っている。画面が大きくなり表示手段に表示しきれない場合は、画面の前後進やスクロール機能により表示可能である。
【００４３】
札掛けコメントを設定する場合、コメント内容は全て同じであるのが普通である。例えば、作業票番号１００があり、この作業は９７年度の定期検査で、山田太郎が９７年１２月２５日に札掛けを行うとする。札掛けは札番号２で行うとする。従来の表示操作装置では、該当操作端の札掛けコメント設定画面を表示して、札番号２に作業票番号「１００」、設定者「山田太郎」、設定日「９７年１２月２５日」、設定理由「９７年度定検」という具合にコメント設定ファイル６で言えば横方向にキー入力を繰り返さなければならない。これに対して、第１の実施形態では、対象となる操作端番号のみをキー入力し、それが終わると、作業票番号１００を該当操作端分連続して、コメント設定ファイル６で言えば縦方向にキー入力すればよい。同じデータを繰り返し入力するのは早い。また、同じ画面であることからカットやペースト、あるいはコピー機能を使うことも容易である。この結果、第１の実施形態では札掛けのコメント入力の省力化が実現できる。
【００４４】
図４は本発明に係る表示操作装置の第２の実施形態の構成を示すブロック図であり、図中、図１と同一の要素には同一の符号を付してその説明を省略する。この第２の実施形態は、図１に示す第１の実施形態の札掛けコメント設定手段９に接続された通信手段１０を付加すると共に、この通信手段１０との相互通信が可能な通信手段１００４を内蔵してなる外部端末１００を付加した構成になっている。外部端末１００は前述したと同様な入力手段１００１と表示手段１００２とがマンマシン対話手段１００３に接続され、このマンマシン対話手段１００３に通信手段１００４が接続されている。
【００４５】
図４において、外部端末１００から操作端に対して札掛けを行う場合には、入力手段１００１にて札掛けコメント設定対話機能を表示要求することにより、マンマシン対話手段１００３から表示手段１００２に札掛け設定画面２２′（図２参照）を表示する。この札掛け設定画面２２′を用いて、札掛けに関する作業票番号、設定者、設定日、設定理由等のコメントデータを一度に複数操作端分及び複数件数分入力し、設定することが可能である。札掛け設定画面２２′にて操作端番号２２ａ、作業票番号２２ｌ、設定者２２ｄ、設定日２２ｅ及び設定理由２２ｈ等のコメントデータを入力手段１００１にて入力し、続いて、コメント設定ＰＢ２２ｊを選択する。
【００４６】
この場合の札掛けコメント設定手段９の処理手順は図３に示した場合と略同様であるが、図３中のステップ９１の処理においてはマンマシン対話手段３から作業票番号、設定者、設定日、設定理由等のコメントデータを受け取るのに対し、図４に示した第２の実施形態ではマンマシン対話手段１００３から通信手段１００４および通信手段１０を介して作業票番号、設定者、設定日、設定理由等のコメントデータを受け取る点が異なるのみで、これ以下のステップ９２からステップ９６までの処理はステップ９５の処理を除き、図３に示したと同様な処理が行なわれる。なお、ステップ９５ではエラーメッセージを通信手段１０及び通信手段１００４を介してマンマシン対話手段に出力し、表示手段１００２に表示する。このようにして、第１の実施形態と同様な手順と作用により、札掛け設定画面２２′にて設定したデータを操作端に札掛け実行することができる。
【００４７】
図１乃至３を用いて説明した第１の実施形態では、入力手段１及び表示手段２を札掛けコメントの入力、表示操作の処理の両方に使用する。札掛けコメントの入力には時間を要することからこの間の監視ができず、プラント運転上、支障をきたす場合が考えられる。このため、第２に実施形態では、入力手段１及び表示手段２とは独立な入力手段１００１及び表示手段１００２を外部端末１００として別に設置している。これにより、表示操作処理自体に影響を与えないで札掛けコメントの入力が可能となる。また、通信手段により外部端末と表示操作装置本体側とを接続することにより、本体のある場所で入力作業をする必要が無くなり、作業場所を問わないという利点もある。
【００４８】
図２に示した第２の実施形態では１台の表示操作装置に１台の外部端末を接続したが、複数台の外部端末を接続し、これらの外部端末を各所に配置すれば、様々な場所から札掛けコメントの入力が可能となる。また、１台または複数台の外部端末を複数台の表示操作装置に接続すれば、同じ端末から複数の表示操作装置に対して札掛けコメントの入力が可能となる。
【００４９】
図５は本発明に係る表示操作装置の第３の実施形態の構成を示すブロック図である。図中、第１の実施形態を示す図１と同一の要素には同一の符号を付してその説明を省略する。この第３の実施形態は過去に入力したコメント設定データの再利用を可能にするために、第１の実施形態の構成要素に対して、コメント設定ファイル管理手段１１及びコメント設定ファイル記憶装置１２を付加した構成になっている。このうち、コメント設定ファイル記憶装置１２は複数のコメント設定ファイルを備えており、これらのコメント設定ファイルの区別を容易にするために、コメント設定ファイル６を「コメント設定ファイル０」と記載し、これをアクティブファイルと称し、コメント設定ファイル記憶装置１２を構成するコメント設定ファイルを「コメント設定ファイル１」…「コメント設定ファイルｎ」と記載し、これらを保存ファイルと称することとする。コメント設定ファイル管理手段１１は札掛けコメント設定手段９の指令のもとに、アクティブファイルを保存ファイルに保存したり、保存ファイルをアクティブファイルとして読み込んだりするものである。
【００５０】
図６（ａ），（ｂ）はアクティブファイルを保存ファイルに保存する際の対話画面例である。この場合、（ａ）に示す、札掛けコメント設定画面２２′によって札掛けコメントを設定する操作は第１の実施形態と同様である。そして、この入力データをコメント設定ファイル記憶装置１２に保存するには、画面の下辺部に配置された選択画面要求ＰＢのうち、札掛けコメント設定保存ファイル選択画面要求ＰＢ２２ｎを選択する。この選択によってマンマシン対話手段３は、（ｂ）に示す、保存ファイル選択画面１１０を表示する。この保存ファイル選択画面１１０は、読込みファイル選択エリア１１０ａ、ファイル名称入力エリア１１０ｂ、保存要求ＰＢ１１０ｃ及び画面消去要求ＰＢ１１０ｄを有している。
【００５１】
入力データをどの番号のコメント設定ファイルに保存するかを読込みファイル選択エリア１１０ａにて選択する。保存ファイル名称を変更したい場合はファイル名称入力エリア１１０ｂにファイル名称をキー入力する。そこで、保存要求ＰＢ１１０ｃを選択すると、コメント設定ファイル管理手段１１は、読込みファイル選択エリア１１０ａ、ファイル名称入力エリア１１０ｂ、操作端番号２２ａ，札番号２２ｂ、作業票番号２２ｌ、設定者２２ｄ、設定日２２ｅ及び設定理由２２ｈ（札番号２２ｂ乃至設定理由２２ｈについては５件分）の各設定データを、マンマシン対話手段３から札掛けコメント設定手段９を経由して受け取る。そして、コメント設定ファイル管理手段１１は、読込みファイル選択エリア１１０ａに対応する保存ファイル番号にファイル名称入力エリア１１０ｂ、操作端番号２２ａ，札番号２２ｂ、作業票番号２２ｌ、設定者２２ｄ、設定日２２ｅ及び設定理由２２ｈをファイル形式でコメント設定ファイル記憶装置１２に書き込む。なお、保存ファイル選択画面１１０を消去するには画面消去要求ＰＢ１１０ｄを選択する。
【００５２】
図７（ａ），（ｂ）はコメント設定ファイル記憶装置１２のファイルを読込みコメント設定ファイル６に書込む際の対話画面例である。この場合、（ａ）に示す札掛けコメント設定画面２２′によって画面の下辺部に配置された選択画面要求ＰＢのうち、札掛けコメント設定読込ファイル選択画面要求ＰＢ２２ｐを選択する。すると、マンマシン対話手段３は、（ｂ）に示す読込ファイル選択画面１１１を表示する。コメント設定ファイル記憶装置１２に保存されている保存ファイルのうち、どの番号の保存ファイルを読込むかを読込ファイル選択エリア１１１ａにて選択する。そして、読込み要求ＰＢ１１１ｂを選択すると、コメント設定ファイル管理手段１１は読込ファイル選択エリア１１１ａに対応する保存ファイルの操作端番号２２ａ，札番号２２ｂ、作業票番号２２ｌ、設定者２２ｄ、設定日２２ｅ及び設定理由２２ｈ（札番号２２ｂ乃至設定理由２２ｈについては５件分）の各データを、札掛けコメント設定手段９を経由してマンマシン対話手段３へ送る。すると、読込んだ保存ファイルのデータが札掛けコメント設定画面２２′に表示される。この時点では第１の実施形態におけるデータ入力段階であり、未だ、コメント設定ファイル６には書込まれていない。コメント設定ファイル６に書込むには札掛けコメント設定ＰＢ２２ｊを選択する。このようにして読み込んだファイルがアクティブファイルとなる。札掛けコメント設定ＰＢ２２ｊを選択したときの札掛けコメント設定手段９の処理は第１の実施形態で説明した図３と同様であるのでその説明を省略する。なお、読込ファイル選択画面１１１を消去するには画面消去要求ＰＢ１１１ｃを選択する。
【００５３】
この第３の実施形態と従来装置と比較してみる。従来装置では札掛けコメントファイルが一つしか無く、コメントデータを変更する場合にはその都度入力し直さなければならない。これはたとえ、過去の設定と同一にしたい場合でも同様であった。これに対して、第３の実施形態はコメント設定ファイルを保存可能とし、必要に応じて所望のファイルをアクティブファイルとして読込むことにより、過去に設定したデータの再利用を可能とし、データ入力の省力化を実現することができる。
【００５４】
なお、第３の実施形態では外部端末１００（図４参照）を備えていないものを基本にして説明したが、コメント設定ファイル管理手段１１及びコメント設定ファイル記憶装置１２を具備し、アクティブファイルとしたいファイルを選択して本体側の札掛けコメント設定手段９に送り込むようにすることもできる。これによって、様々な箇所から、あるいは、複数の表示操作装置に対してアクティブファイルを保存ファイルに保存したり、コメント設定ファイル記憶装置１２のファイルを読込みコメント設定ファイル６に書込んだりすることができる。
【００５５】
図８は本発明に係る表示操作装置の第４の実施形態の構成を示すブロック図である。図中、第３の実施形態を示す図５と同一の要素には同一の符号を付してその説明を省略する。この実施形態は図５に示した構成要件に対して、複数のコメント設定ファイルの中からどのタイミングでどのファイルをアクティブファイルに読み出すかの条件が設定されているタイミング判定条件ファイル１３と、このタイミング判定条件ファイル１３を周期的にチェックし、コメント設定ファイルを自動的に置き換えるタイミングに到達したことの信号を出力するタイミング判定手段１４と、このタイミング判定手段１４からコメント設定ファイルのアクティブファイルを自動的に置き換えるタイミングに到達したことをオペレータに告知すると共に、オペレータからの置換実行許可通知を受取りコメント設定ファイル管理手段１１に対してファイルの書き換え要求をする自動置換告知手段１５とを付加した構成になっている。
【００５６】
図９はタイミング判定条件ファイル１３のデータ構造を示している。このうち、ファイル１３ａはどのタイミングでアクティブファイルへ保存するかの条件を規定し、ファイル１３ｂはどのファイルをアクティブファイルへ保存するかの条件を規定している。データは現在に近い順に上から下へ並べられている。
【００５７】
図１１はタイミング判定手段１４の具体的な処理手順を示すフローチャートである。同図において、ステップ１４１でタイミング判定手段１４はタイミング判定条件ファイル１３の先頭データを参照し、ステップ１４２にてファイル置き換えのタイミングになったか否かをチェックする。そして、ファイル置き換えのタイミングになったならばステップ１４３でフアイル１３ｂを自動置換告知手段１５へ送り、ステップ１４３でそのタイミングのファイル１３ａ及び１３ｂを消去する。続いて、ステップ１４５で所定の時間待ちをした後、ステップ１４１の処理に戻り、以下ステップ１４１〜１４５の処理を繰返す。
【００５８】
自動置換告知手段１５はタイミング判定手段１４からファイル１３ｂを受取ると、ファイル１３ｂをコメント設定ファイル６に自動的に置き換えるタイミングに到達したことをオペレータに告知するためにマンマシン対話手段３に対して、図１２に示すような、自動置換タイミング告知画面１５０を表示させる。この自動置換タイミング告知画面１５０はオペレータからの置換許可又は不許可を受付ける機能も持っており、置換許可を要求する場合には置換許可ＰＢ１５０ａを、置換不許可を要求する場合には置換不許可ＰＢ１５０ｂをそれぞれ表示する。そして、オペレータが入力手段１から許可を入力すると自動置換告知手段１５はそれを受けて、コメント設定ファイル管理手段１１に対してファイル１３ｂに該当する保存ファイルをコメント設定ファイル記憶装置１２から読み込み、コメント設定ファイル６に書き込む指令を出力する。オペレータが入力手段１から不許可を入力すると自動置換告知手段１５は処理を終了する。
【００５９】
タイミング判定条件ファイル１３のデータ設定はコメント設定ファイル記憶装置１２にコメント設定ファイル６を保存する際に行う。札掛けコメント設定画面２２′にて札掛けコメント設定保存ファイル選択画面要求ＰＢ２２ｎを選択すると、マンマシン対話手段３は図１０に示す保存ファイル選択画面１１２を表示する。保存ファイル選択画面１１２は保存ファイル選択画面１１０に自動設定タイミング入力欄１１２ｅを追加したものである。オペレータはどの番号の保存ファイルに保存するかを保存ファイル選択エリア１１２ａにて選択する。保存ファイル名称を変更したい場合は保存ファイル名称入力エリア１１２ｂにファイル名称をキー入力する。さらに、このファイルを自動的にアクティブファイルに置換したいタイミングを自動設定タイミング入力欄１１２ｅにキー入力する。自動的に置換したくない場合は自動設定タイミング入力欄１１２ｅをブランクのままにしておけば良い。
【００６０】
保存要求ＰＢ１１２ｃを選択するとコメント設定ファイル管理手段１１は保存ファイル選択エリア１１２ａ、保存ファイル名称入力エリア１１２ｂ、保存ファイルの操作端番号２２ａ，札番号２２ｂ、作業票番号２２ｌ、設定者２２ｄ、設定日２２ｅ及び設定理由２２ｈ（札番号２２ｂ乃至設定理由２２ｈについては５件分）の各データを、マンマシン対話手段３から札掛けコメント設定手段９を経由して、保存ファイル選択エリア１１２ａ、保存ファイル名称入力エリア１１２ｂを自動置換告知手段１５を経由して受取る。
【００６１】
そして、保存ファイル選択エリア１１２ａに対応する保存ファイル番号に保存ファイル名称入力エリア１１２ｂ、保存ファイルの操作端番号２２ａ，札番号２２ｂ、作業票番号２２ｌ、設定者２２ｄ、設定日２２ｅ及び設定理由２２ｈの各データをコメント設定ファイル記憶装置１２に書き込み、自動設定タイミング入力エリア１１２ｅのデータをファイル１３ａと対応させ、保存ファイル選択エリア１１２ａのデータをファイル１３ｂと対応させてタイミング判定条件ファイル１３に書き込む。タイミング判定条件ファイル１３に書き込むときは現在に近い順になるような位置に挿入する。なお、保存ファイル選択画面１１２を消去するには画面消去要求ＰＢ１１２ｄを選択する。
【００６２】
この第４の実施形態と従来装置とを比較してみる。従来装置では札掛け操作は必要なときに対話で行う必要があり、時間が迫っているときなどは急いで入力しなければならない。第３の実施形態においてもアクティブファイルへの置換を忘れるなど、時間の制約や入力ミス、作業忘れの恐れがある。
【００６３】
第４の実施形態によれば、予めアクティブファイルへの置換タイミングとファイルを指定しておくだけで置換タイミングを装置が告知してくれるほか、自動的にファイルの置換を行ってくれるため、時間の制約や入力ミス、作業忘れを防止することができる。
【００６４】
図１３は本発明に係る表示操作装置の第５の実施形態の構成を示すブロック図である。図中、第３の実施形態を示す図５と同一の要素には同一の符号を付してその説明を省略する。この実施形態は図５に示す構成要素に対して、定例操作項目としてどのタイミングにどの定例ファイルをアクティブファイルとするかが登録されている定例条件ファイル１６と、この定例条件ファイル１６を周期的にチェックし、コメント設定ファイルの置換タイミングに到達したことを判定するタイミング判定手段１７と、このタイミング判定手段１７が置換タイミングに到達したと判定したときに、コメント設定ファイルのアクティブファイルを自動的に置き換えるタイミングに到達したことをオペレータに告知すると共に、オペレータからの置換実行許可通知を受取ってコメント設定ファイル管理手段１１に対してファイルの書き換え要求をする自動置換告知手段１５とを付加した構成になっている。
【００６５】
以下、コメント設定ファイル記憶装置１２に存在するコメント設定ファイルをコメント設定ファイル６へ自動的に置き換える際の動作を説明する。
図１４は定例条件ファイル１６のデータ構造を示している。定例操作種別エリア１６ａには、決められた曜日、時刻あるいは決められた月日、時刻等に実施されるような定期操作種別と、点火、並入等のプラント主要イベントにて実施されるような定期イベント種別とが存在している。定例操作種別が定期操作Ｗと設定されている場合には、保存タイミングエリア１６ｂにはどのタイミングでアクティブファイルへ読み出すかの条件が日付／時刻データにて設定されており、定例イベントＥと設定されている場合には、保存タイミングエリア１６ｂにはどのタイミングでアクティブファイルへ読み出すかの条件がプラント主要イベントデータにて設定されている。実行するコメント設定保存ファイル番号エリア１６ｃにはタイミングが成立した時にアクティブファイルへ自動保存されるファイル番号が設定されている。通知済指標エリア１６ｄには自動置換告知手段１５に対して通知処理を実施したか否かを示す通知済指標データが設定されている。
【００６６】
図１５はタイミング判定手段１７の具体的な処理手順を示すフローチャートである。タイミング判定手段１７は周期的に処理を実施しており、先ず、ステップ１７１にて定例条件ファイル１６のデータを取り出し、ステップ１７２では定例操作種別エリア１６ａが定期操作であるか定例イベントであるかの判定を行う。定期操作の場合には、ステップ１７３で現在の日付／時刻がステップ１７１にて読み込んだデータのうち、保存タイミングエリア１６ｂの日付／時刻に到達しているか否かを判定する。また、定例操作種別エリア１６ａが定例イベントの場合には、ステップ１７４にてステップ１７１で読み込んだデータ中の保存タイミングエリア１６ｂのイベントタイミングが成立しているか否かを判定する。
【００６７】
ステップ１７３及びステップ１７４の処理で判定した結果、自動置換タイミングに到達している場合には、ステップ１７５にてコメント設定保存ファイル番号エリア１６ｃのデータを自動置換告知手段１５へ送り、ステップ１７６で定例条件ファイル１６中の通知済指標エリア１６ｄのデータをセットする。ステップ１７３及びステップ１７４の処理にて判定した結果、自動置換タイミングに到達していない場合にはステップ１７５及びステップ１７６の処理は実行しないでステップ１７７の処理に移る。
【００６８】
ステップ１７７では定例条件ファイル１６中の一つ目のデータのチェックが終了したので、データのポインタを一つカウントアップする。次のステップ１７８では定例条件ファイル１６のデータが終了であるか否かのチェックを行い、総てのデータチェックが終了していない場合にはステップ１７１の処理に戻り、再度同様な処理を繰返す。全てのデータのチェックが終了している場合には、ステップ１７９にて定例条件ファイル１６の先頭データをチェックするためにデータポインタを「０」とし、ステップ１７ａにてタイマーディレイ処理を実行した後、ステップ１７１の処理に戻り、このステップ１７１以下の処理を繰返す。通知済指標エリア１６ｄは、日替わり時又はイベントタイミングの成立から不成立に辺かした時にリセットされる。
【００６９】
この場合、自動置換告知手段１５は図８に示す第４の実施形態で説明したと同様に、タイミング判定手段１７からコメント設定保存ファイル番号エリア１６ｃのデータを受け取ると、このコメント設定保存ファイル番号エリア１６ｃのファイルをコメント設定ファイル６に自動的に置き換えるタイミングに到達したことをオペレータに告知するために、マンマシン対話手段３に対して、図１２に示すように、自動置換タイミング告知画面１５０を表示させる。この画面の操作については第４の実施形態と同様であるのでその説明を省略する。
【００７０】
この第５の実施形態と従来装置とを比較してみる。従来装置では札掛け操作は必要なときに対話で行う必要があり、時間が迫っているときなどは急いで入力しなければならない。第３の実施形態においてもアクティブファイルへの置換を忘れるなど、時間の制約や入力ミス、作業忘れの恐れがある。
【００７１】
第５の実施形態によれば、定例のイベント時に置き換えるファイルを予め指定しておくだけで、置換タイミングを装置が告知してくれるほか、自動的にファイルの置換を行ってくれるため、時間の制約や入力ミス、作業忘れを防止することができる。
【００７２】
図１６は本発明に係る表示操作装置の第６の実施形態の構成を示すブロック図である。図中、第１の実施形態を示す図１と同一の要素には同一の符号を付してその説明を省略する。この実施形態は図１に示す構成要素に対して、札掛けコメント設定画面に札掛け情報の印刷要求ＰＢを設けることにより、印刷要求があった場合には札掛け印刷処理を行う札掛け印刷手段６００に通知する処理を付加した札掛け設定手段４と、札掛け情報の印刷データのフォーマットが規定されている印刷データフォーマット６２３と、コメント設定ファイル６に保存されたデータフォーマット６２３を使用して印刷データを編集する札掛け印刷編集手段６０１と、札掛け設定手段４から札掛け印刷要求があった場合に印刷編集手段６０１に札掛け印刷要求を行い、札掛け印刷編集手段６０１にて編集された札掛け情報の印刷データの出力処理を行う札掛け印刷手段６００と、札掛け情報を印刷するプリンタ６０２を加えた構成になっている。
【００７３】
次に、この第６の実施形態の動作について説明する。
札掛け情報の印刷を行う場合には、図１７に示すように、印刷したい操作端の札掛け情報設定画面６２２を表示手段２に表示する。この札掛け情報設定画面６２２上の札掛け情報の印刷要求ＰＢ２２ｑを選択することによって、マンマシン対話手段３から札掛け情報の印刷要求と印刷する操作端番号エリア２１ａ及び操作端内の札掛け番号エリア２２ｂのデータが札掛け設定手段４に通知される。マンマシン対話手段３から札掛け情報の印刷要求を通知された札掛け設定手段４は、操作端番号エリア２１ａと操作端内の札掛け番号エリア２２ｂのデータを札掛け印刷手段６００に渡し、札掛け情報の印刷要求を行う。
【００７４】
図１９は札掛け印刷手段６００の処理手順を示すフローチャートである。この札掛け印刷手段６００は、先ず、ステップ６００１にて札掛け設定手段４から操作端番号エリア２１ａ及び操作端内の札掛け番号エリア２２ｂのデータを受取り、ステップ６００２にて受取ったデータを印刷編集手段６０１に渡し、札掛け情報の印刷データの編集要求を行う。次のステップ６００３では印刷編集手段６０１から印刷データと作成完了の通知を受けると印刷データをプリンタ６０２で印刷する。この札掛け情報の印刷例を図１８に示す。
【００７５】
図２０は札掛け印刷編集手段６０１の処理手順を示すフローチャートである。印刷編集手段６０１は札掛け印刷手段６００から起動され、ステップ６０１１にて操作端番号エリア２１ａ及び操作端内の札掛け番号エリア２２ｂのデータを受け取る。そして、ステップ６０１２にて受取ったデータをもとにコメント設定ファイル６から該当する作業票番号２２ｌ、設定者２２ｄ、設定日２２ｅ、設定理由２２ｈのコメント設定データを取出し、どのようなフォーマットで印刷するかを規定した印刷データフォーマット６２３をもとに印刷データを編集する。図２１に印刷データフォーマット６２３の構成例を示す。ここで、操作端番号印刷設定エリア６１ａには操作端番号２１ａ、操作端札掛け番号印刷設定エリア６１ｂには札番号２２ｂ、作業票番号印刷設定エリア６１ｌには作業票番号２２ｌ、設定者印刷設定エリア６１ｄには設定者２２ｄ、設定日印刷設定エリア６１ｅには設定日２２ｅ、設定理由印刷設定エリア６１ｈには設定理由２２ｈが対応している。印刷データの受取りが終了すると、印刷編集手段６０１は札掛け印刷手段６００に印刷データ作成の完了を通知すると共に、編集した印刷データを札掛け印刷手段６００に受け渡す。
【００７６】
この第６の実施形態によれば、表示操作装置で設定した札掛けと同一の現場用の札掛けを作成できるので、プラントを定期点検時の改造で何十から何百に及ぶプラント機器（操作端）の現場用札の作成が不要となるので、作業の省力化が図られ、また、コント内容の書き間違いによる作業ミスの防止ができるため、品質の向上が図られる利点もある。
【００７７】
なお、第６の実施形態では図１に示す第１の実施形態に印刷編集機能を付加したが、これらの機能を図２に示す第２の実施形態、図５に示す第３の実施形態、図８に示す第４の実施形態及びず１３に示す第５の実施形態に付加することによって第６の実施形態と同様な効果が得られる。
【００７８】
【発明の効果】
以上の説明によって明らかなように、請求項１に係る発明によれば、入力手段及び表示手段をマンマシンインターフェイスとし、プラント機器を操作端として、この操作端の札掛けに関するコメントデータを一度に複数操作端分設定が可能となり、これによって画面展開のための操作回数を減らし、操作時間と労力を削減することのできる表示操作装置を提供することができる。
【００７９】
請求項２に係る発明によれば、入力手段及び表示手段として外部端末を使用し、本体部とは独立に対話操作できるので、監視効率が高められ、さらに、装置本体部とは別の場所での操作も可能となり、作業場所を問わないで済むという効果もある。
【００８０】
請求項３に係る発明によれば、コメント設定ファイルを保存可能とし、必要に応じて所望のファイルをアクティブファイルと入れ換えることにより、過去に設定したデータの再利用が可能になるという効果も得られる。
【００８１】
請求項４に係る発明によれば、過去に設定した札掛けコメントデータを予め設定されている定例操作タイミング等にて自動的に再設定することができるので作業忘れの防止が可能で、かつ、対話操作による時間的な拘束から解放されるという効果も得られる。
【００８２】
請求項５に係る発明によれば、定例のイベントとそれに関係するルールとのひも付けにより、コメント設定を予め定められたタイミングで自動的に行うようにしたので、時間の拘束からの解放と作業忘れの防止ができる効果もある。
【００８３】
請求項６に係る発明によれば、表示操作装置に登録されている札掛けコメントを情報シール等に印刷し、そのシールを現場に取り付ける札としてそのまま利用できるので安全性が高く、また、作業管理が行き届くという効果も得られる。
【図面の簡単な説明】
【図１】本発明に係る表示操作装置の第１の実施形態の構成を示すブロック図。
【図２】札掛けコメント設定画面例。
【図３】札掛けコメント設定手段の具体的処理手順を示すフローチャート。
【図４】本発明に係る表示操作装置の第２の実施形態の構成を示すブロック図。
【図５】本発明に係る表示操作装置の第３の実施形態の構成を示すブロック図。
【図６】アクティブファイルを保存ファイルに保存する際の対話画面例。
【図７】コメント設定ファイル記憶装置のファイルを読込みコメント設定ファイルに書込む際の対話画面例。
【図８】本発明に係る表示操作装置の第４の実施形態の構成を示すブロック図。
【図９】タイミング判定条件ファイルのデータ構造を示した図。
【図１０】マンマシン対話手段による保存ファイル選択画面例。
【図１１】タイミング判定手段の具体的な処理手順を示すフローチャート。
【図１２】自動置換タイミング告知画面例。
【図１３】本発明に係る表示操作装置の第５の実施形態の構成を示すブロック図。
【図１４】定例条件ファイルのデータ構造を示した図。
【図１５】タイミング判定手段の具体的な処理手順を示すフローチャート。
【図１６】本発明に係る表示操作装置の第６の実施形態の構成を示すブロック図。
【図１７】印刷したい操作端の札掛け情報設定画面例。
【図１８】札掛け情報の印刷例。
【図１９】札掛け印刷手段の処理手順を示すフローチャート。
【図２０】札掛け印刷編集手段の処理手順を示すフローチャート。
【図２１】印刷データフォーマットの構成例。
【図２２】従来の表示操作装置の概略構成を示すブロック図。
【図２３】札掛け設定画面例。
【図２４】札掛け設定画面例。
【図２５】札掛け設定画面に対応する掛け設定ファイル。
【図２６】札掛けコメント設定画面に対応するコメント設定ファイル。
【符号の説明】
１  入力手段
２  表示手段
３  マンマシン対話手段
４  札掛け設定手段
５  札掛け設定ファイル
６  コメント設定ファイル
７  札掛け判定手段
８  表示操作処理手段
９  札掛けコメント設定手段
１０  通信手段
１１  コメント設定ファイル管理手段
１２  コメント設定ファイル記憶装置
１３  タイミング判定条件ファイル
１４  タイミング判定手段
１５  自動置換告知手段
１６  定例条件ファイル
１７  タイミング判定手段
１００  外部端末
６００  札掛け印刷手段
６０１  札掛け印刷編集手段
６０２  プリンタ
６２３  印刷データフォーマツト
【図１】
0004050400.tif 000002
【図２】
0004050400.tif 000003
【図３】
0004050400.tif 000004
【図４】
0004050400.tif 000005
【図５】
0004050400.tif 000006
【図６】
0004050400.tif 000007
【図７】
0004050400.tif 000008
【図８】
0004050400.tif 000009
【図９】
0004050400.tif 000010
【図１０】
0004050400.tif 000011
【図１１】
0004050400.tif 000012
【図１２】
0004050400.tif 000013
【図１３】
0004050400.tif 000014
【図１４】
0004050400.tif 000015
【図１５】
0004050400.tif 000016
【図１６】
0004050400.tif 000017
【図１７】
0004050400.tif 000018
【図１８】
0004050400.tif 000019
【図１９】
0004050400.tif 000020
【図２０】
0004050400.tif 000021
【図２１】
0004050400.tif 000022
【図２２】
0004050400.tif 000023
【図２３】
0004050400.tif 000024
【図２４】
0004050400.tif 000025
【図２５】
0004050400.tif 000026
【図２６】
0004050400.tif 000027